(57)【要約】【課題】ヒップアップ機能に優れるインナーボトムの提供を目的とする。【解決手段】ウエスト廻りに位置するウエスト布と、当該ウエスト布の前側に縫着した前面中央布と、当該ウエスト布の後側に縫着した背面中央布とを備え、前記背面中央布は下部側が一部クロスするようにＹ字状に分岐した左右の分岐部を有し、前記左右の分岐部が股間部を介して前記前面中央布と縫着されていることを特徴とする。【選択図】  図１
2016121416.tif 000002
【特許請求の範囲】
【請求項１】
ウエスト廻りに位置するウエスト布と、当該ウエスト布の前側に縫着した前面中央布と、当該ウエスト布の後側に縫着した背面中央布とを備え、
前記背面中央布は下部側が一部クロスするようにＹ字状に分岐した左右の分岐部を有し、前記左右の分岐部が股間部を介して前記前面中央布と縫着されていることを特徴とするインナーボトム。
【請求項２】
前記ウエスト布の両側の側部からヒップトップの外側の側部を経由してアンダー部に向けて延在した一対の側布を有し、前記アンダー部の内側の側縁部を前記左右の分岐部にそれぞれ縫着してあることを特徴とする請求項１記載のインナーボトム。
【請求項３】
両側のヒップトップのアンダー部に沿って配設し、前記側布から露出したヒップの一部を覆うようにヒップサポート布を有し、前記ヒップサポート布の両端部をウエスト布の前面部又は前面中央布に縫着してあることを特徴とする請求項２記載のインナーボトム。
【請求項４】
前記ウエスト布は相対的に伸縮力の強い素材を用いて製作してあることを特徴とする請求項１〜３のいずれかに記載のインナーボトム。
【発明の詳細な説明】
【技術分野】
【０００１】
本発明は、ショーツやガードル等のインナーに関し、特にヒップアップ機能に優れたインナーボトムに係る。
【背景技術】
【０００２】
加齢とともに臀部膨出部（ヒップトップ）が垂れ下がる傾向があり、ヒップアップ機能を有するインナーボトムが期待される。
従来からヒップアップ矯正を目的としたヒップアップガードルや骨盤を矯正するための骨盤ベルトが存在するが、その両方の機能を有するものは、あまり知られていない。
特許文献１には、ヒップトップが露出するように設けたヒップ支持布を備えたショート・インナーボトムを開示する。
しかし、加齢とともにヒップトップが垂れ下がるだけでなく、臀部の側部がヒップの中央に流れるように削げ落ちる垂れ下がる変形に対しては、充分なヒップアップ効果が得られないものである。
【先行技術文献】
【特許文献】
【０００３】
【特許文献１】特許第４０４９７２８号公報
【発明の概要】
【発明が解決しようとする課題】
【０００４】
本発明は、ヒップアップ機能に優れるインナーボトムの提供を目的とする。
【課題を解決するための手段】
【０００５】
本発明に係るインナーボトムは、ウエスト廻りに位置するウエスト布と、当該ウエスト布の前側に縫着した前面中央布と、当該ウエスト布の後側に縫着した背面中央布とを備え、前記背面中央布は下部側が一部クロスするようにＹ字状に分岐した左右の分岐部を有し、前記左右の分岐部が股間部を介して前記前面中央布と縫着されていることを特徴とする。
このように背面中央布の下部側をＹ字状に分岐しつつ、左右の分岐部の一部が重なるようにクロスさせたので、ヒップ下から引き上げた贅肉をクロスしている二重のクロス部から一重部側に移動するように立体的に持ち上げ、保持するように作用する。
また、ウエスト布に縫着された前面中央布とこの背面中央布が連動し、前面中央布で下腹を押さえ、後ろ中心から背面中央布でヒップを引き上げることで骨盤が安定する。
よって、ウエスト布にパワーネット等の伸縮性の相対的に強い素材を用いると、骨盤ベルトとしての骨盤矯正機能とヒップアップ機能との両方を付与することができる。
【０００６】
本発明において、ウエスト布の両側の側部からヒップトップの外側の側部を経由してアンダー部に向けて延在した一対の側布を有し、前記アンダー部の内側の側縁部を前記左右の分岐部にそれぞれ縫着してあってもよい。
このようにすると、ヒップの外側の側部の垂れ下がった贅肉を露出しているヒップトップに引き寄せるように作用し、前記背面中央布の引き上げ効果により、さらにヒップトップに丸みが生じるように立体的にヒップアップする。
この場合に、両側のヒップトップのアンダー部に沿って配設し、前記側布から露出したヒップの一部を覆うようにヒップサポート布を有し、前記ヒップサポート布の両端部をウエスト布の前面部又は前面中央布に縫着してあってもよい。
このようにすると、ヒップトップのアンダー部を前記側布とヒップアップサポート布との二重部分で下から支えつつ、上部を一重のヒップアップサポート布で支えるように作用し、滑らかな丸みをおびたヒップラインとなる。
【発明の効果】
【０００７】
本発明においては、ウエスト布の前側に設けた前面中央布と、このウエスト布の後側に設けたＹ字状に分岐した背面中央布が連動し、下腹部の脂肪を抑えつつ、ヒップの垂れ下がった贅肉をヒップトップ側に寄せつつ、持ち上げることができるので、ヒップアップ効果に優れる。
また、ウエスト布による骨盤矯正機能も有する。
【図面の簡単な説明】
【０００８】
【図１】本発明に係るインナーボトムの例を示し、矢印は背面中央布と側布に作用する方向を示す。
【図２】本発明に係るインナーボトムの外観図を示す。
【図３】本発明に係るインナーボトムの前側外観図を示す。
【図４】（ａ）はインナーボトムの正面図、（ｂ）は背面図、（ｃ）は側面図を示す。
【図５】（ａ）は背面図、（ｂ）は斜視図、（ｃ）は外観斜視図を示す。
【発明を実施するための形態】
【０００９】
本発明に係るインナーボトムの例をショートショーツにて説明する。
図１，２は背面斜視図、図３は前側斜視図を示し、図４は単品の（ａ）正面図，（ｂ）背面図，（ｃ）側面図を示す。
本実施例に係るインナーボトム１０は、ウエスト廻りに設けたパワーネットからなるウエスト布１１の前面に図３に示すように上下方向の前面中央布１５を有し、このウエスト布１１の背面（後側）には図１に示すように背面中央布１２を設けてある。
背面中央布１２の上部は、ウエスト布１１の両端部及び伸縮紐１１ａに縫着してあり、下部側の右分岐部１２ａと左分岐部１２ｂとはＹ字状に分岐して設けるとともに、分岐点１２ｃから少し下がった位置で、内側の一部がクロス部ｄで重なるようにクロスされている。
このクロスされたクロス部ｄは相互に縫着はされていないので、それぞれが独立して動く。
また、左右の分岐部１２ａ，１２ｂの下縁部は前面中央布１５の下縁部と股間部１５ａを介して連結縫着してある。
【００１０】
ウエスト布１１の両側の側部からは、それぞれヒップの外側の側部１３ｂからヒップのアンダー側に延在させた側布背面部１３ａを形成し、この側布背面部１３ａの内側の側縁部１３ｄを背面中央布１２の左右の分岐部１２ａ，１２ｂの外側の側縁部に縫着してある。
これにより、ヒップトップの周囲を包むように裁断された形状になっている。
また、ヒップのアンダー部に沿って周廻りにレース等の相対的に伸縮性が弱く薄地のヒップサポート布１４を設け、その両側の端部を図３に示すようにウエスト布１１に縫着してある。
【００１１】
本発明に係るインナーボトム１０は、図３に矢印で示したウエスト布１１の伸縮力と、前面中央布１５が下腹部を押さえ、図１に示すように一部がクロスした背面中央部１２の分岐部１２ａ，１２ｂがヒップ下側から引き上げる。
分岐部１２ａ，１２ｂを図５（ａ）に示すように一部ｄの部分でクロスさせたので、二重部のｄに位置した贅肉が一重の分岐部を経由して矢印の方向に移動するとともに、持ち上げられる。
この際に、ヒップトップの周囲を包み込むように配置した側布１３により、ヒップの側部の削げ落ちた肉を図５（ａ），（ｂ）に矢印で示すようにヒップの中央に寄せつつ、背面中央布１２にて引き上げる。
よって、本発明に係るボトムは、ヒップトップを包み込むように配設した側布１３と、Ｙ字状に分岐した背面中央布１２の組み合せにより、ヒップトップをいわばヒップブラジャーのように保持しながら、ヒップアップできる。
本実施例では、図２に示すようにヒップサポート布１４がヒップのアンダー部を包み込むように保持する。
【符号の説明】
【００１２】
１０      インナーボトム
１１      ウエスト布
１１ａ    伸縮紐
１２      背面中央布
１２ａ    右分岐部
１２ｂ    左分岐部
１３      側布
１３ａ    側布背面部
１４      ヒップサポート布
１５      前面中央布
【図１】
2016121416.tif 000003
【図２】
2016121416.tif 000004
【図３】
2016121416.tif 000005
【図４】
2016121416.tif 000006
【図５】
2016121416.tif 000007